(57)【要約】【課題】特定キーを操作した際に、その特定キーに割付登録したオプション機能のモード属性が、そのときに実行されているモードと一致するか否かにかかわらず、操作された特定キーに割付登録したオプション機能を実行させることができる原稿画像読取記録装置を提供する。【解決手段】特定キーが操作されたときには、その特定キーに割付登録したオプション機能のモード属性を判定し、実行中のモードと一致する場合には、特定キーに割付登録したオプション機能を実行する一方、特定キーに割付登録したオプション機能のモード属性が、実行中のモードと一致しない場合には、特定キーに割付登録したオプション機能のモード属性と一致するモードに切り換え、特定キーに割付登録したオプション機能を実行するための操作画面を呼出表示する制御手段１を備える。【選択図】図１
2007194902.tif 000002
【特許請求の範囲】
【請求項１】
装置が実行可能な複数の実行モードの属性に応じて、オプション機能を割付登録できる特定キーを備えた原稿画像読取記録装置において、
上記特定キーが操作されたときには、その特定キーに割付登録したオプション機能のモード属性を判定し、実行中のモードと一致する場合には、上記特定キーに割付登録したオプション機能を実行するための操作画面を呼出表示する一方、
上記特定キーに割付登録したオプション機能のモード属性が、上記実行中のモードと一致しない場合には、上記特定キーに割付登録したオプション機能のモード属性と一致するモードに切換えた後、上記特定キーに割付登録したオプション機能を実行するための操作画面を呼出表示する制御手段を備える原稿画像読取記録装置。
【請求項２】
請求項１において、
上記操作画面は、単一のオプション機能の有効、無効を切換設定するための操作画面であることを特徴とする原稿画像読取記録装置。
【請求項３】
請求項１において、
上記操作画面は、複数のオプション機能のうちから任意の実行機能を選択設定するための操作画面であることを特徴とする原稿画像読取記録装置。
【発明の詳細な説明】
【技術分野】
【０００１】
本発明は、複数の実行モードが実行できる多機能型の原稿画像読取装置の改良に関し、特に実行モード毎にオプション機能を割付登録できる特定キーを備えた原稿画像読取記録装置の改良に関する。
【背景技術】
【０００２】
ファクシミリ、コピーなどの複数の実行モードを選択的に設定できる多機能型の原稿画像読取記録装置が広く使用されているが、近時にあっては、更にユーザの使い勝手を改善するため、ユーザカスタマイズされ、そのようなものとして、特定キーに実行すべきオプション機能を割付登録できるようにした原稿画像読取記録装置が種々開発されている。
【０００３】
下記特許文献１に示す装置では、実行モードとして、ファクシミリモード、コピーモードを実行できるようになっている。特定キーは１または複数設けられており、各特定キーには、例えば、ファクシミリモードに対応するオプション機能として、メモリ送信機能とリアルタイム送信機能とを選択的に実行する機能、自動受信機能と手動受信機能とを選択的に実行する機能などが登録できる。一方、コピーモードに対応するオプション機能として、集約コピー機能、リピートコピー機能などが登録でき、特定キーを操作することで、ユーザが使用したいモードに切り換えて機能が実行できるようになっている。
【特許文献１】特開２００２−９４７３１号公報
【発明の開示】
【発明が解決しようとする課題】
【０００４】
しかしながら、上記した従来の原稿画像読取記録装置では、特定キーが操作される時点において、そのキーに割付登録したオプション機能のモード属性が、実行中のモードと一致していなければ、キー操作は受け付けられず、無効と判定される。
【０００５】
したがって、コピーモード実行中に、ファクシミリモードに応じたオプション機能、例えば、メモリ送信機能とリアルタイム送信機能とを選択的に実行する機能を割付登録した特定キーを操作してもその操作は無効となる。
【０００６】
そのため、特定キーの操作により、割付登録した機能の実行を開始させたい場合には、特定キーを操作する前段階で、ユーザはモードの切換をスイッチを操作するなどして、そのキーに割付登録した機能が属するモードに切り換える必要があり、改善が望まれていた。
【０００７】
本発明は、このような問題を解決するために提案され、特定キーを操作した際に、その特定キーに割付登録したオプション機能のモード属性が、そのときに実行されているモードと一致するか否かにかかわらず、操作された特定キーに割付登録したオプション機能を実行させることができる原稿画像読取記録装置を提供することを目的とする。
【課題を解決するための手段】
【０００８】
上記目的を達成するため、本発明の請求項１では、特定キーが操作されたときには、その特定キーに割付登録したオプション機能のモード属性を判定し、実行中のモードと一致する場合には、特定キーに割付登録したオプション機能を実行するための操作画面を呼出表示する一方、特定キーに割付登録したオプション機能のモード属性が、実行中のモードと一致しない場合には、特定キーに割付登録したオプション機能のモード属性と一致するモードに切り換え、特定キーに割付登録したオプション機能を実行するための操作画面を呼出表示する制御手段を備える。
【０００９】
請求項２では、操作画面は、単一のオプション機能の有効、無効を切換設定するための操作画面であることを特徴とする。
【００１０】
ここに、単一のオプション機能の有効、無効の切換設定とは、済スタンプ機能、発信元付加印字機能など単一のオプション機能について、その有効、無効の切換設定を行うことをいう。
【００１１】
請求項３では、操作画面は、複数のオプション機能のうちから任意の実行機能を選択設定するための操作画面であることを特徴とする。
【００１２】
ここに、複数のオプション機能のうちから、任意の実行機能を選択設定することとは、メモリ送信機能とリアルタイム送信機能など、１つの操作キーに割付登録した複数のオプション機能のうちから、いずれか１の実行機能を選択設定することをいう。
【発明の効果】
【００１３】
本発明の請求項１〜３によれば、特定キーを操作した際に、その特定キーに割付登録したオプション機能のモード属性と、特定キーが操作された時点で実行されているモードとが一致しなくても、操作された特定キーのオプション機能のモード属性と一致するモードにジャンプして、そのオプション機能を実行させることができる。
【発明を実施するための最良の形態】
【００１４】
以下に、本発明の実施の形態について説明する。ここでは、本発明の原稿画像読取装置の一例としてファクシミリ装置を示しているが、これには限られず、ファクシミリモード、コピーモードなど、複数の実行モードが実行できる装置であればよい。
【実施例１】
【００１５】
図１は、本発明の原稿画像読取記録装置の要部構成の一例を示すブロック図である。
【００１６】
原稿画像読取記録装置の一例であるファクシミリ装置Ｆは、本発明の制御手段を構成するＣＰＵ１、電話回線Ｌに対する接続制御を行うＮＣＵ２、ファクシミリ通信に必要な信号を変復調するモデム３、各種プログラムなどを格納するＲＯＭ４、後述するご愛用スイッチキー登録部５０を有するＲＡＭ５、原稿を読み取り画像データを生成するスキャナ６、液晶画面などで構成される表示部７、各種スイッチキー（ご愛用スイッチキー含む）などで構成される操作部８、画像データを符号化、復号するコーデック９、画像データを印字出力するプリンタ１０を少なくとも備える。
【００１７】
このファクシミリ装置Ｆは、複数の実行モードとして、ファクシミリモード、コピーモードを実行できるようにしている。
【００１８】
ご愛用スイッチキーは、本発明の特定キーを構成して、ユーザが所望するオプション機能を割付登録できるようにしており、ＲＡＭ５には、割付登録できるオプション機能が予めデフォルトで準備されている。
【００１９】
図２は、ご愛用スイッチキーに登録できるオプション機能の一例を一覧表示したものである。なお、各オプション機能の実行プログラムは予めＲＯＭ４に記憶されており、ご愛用スイッチキーが操作されたことをＣＰＵ１が検出すると、操作されたスイッチキーに割付登録したオプション機能に応じた実行プログラムをＲＯＭ４から読み出し、実行する。
【００２０】
ご愛用スイッチキーに登録できるオプション機能は、予めファクシミリモード、コピーモードの実行モードのモード属性毎に区分され、ファクシミリモードに対しては、メモリ送信機能とリアルタイム送信機能とを選択的に実行する機能、自動受信機能と手動受信機能とを選択的に実行する機能が登録できる。
【００２１】
一方、コピーモードに対しては、ソートコピー機能、集約コピー機能などが割付登録できるものとなっている。また、ファクシミリモード、コピーモード双方に対しては、車検証読み取り機能、鉛筆書き原稿読み取り機能が割付登録できるものとなっている。
【００２２】
このようなオプション機能一覧は、ご愛用スイッチキーが操作されたとき、そのキーに割付登録したオプション機能のモード属性が、ファクシミリモード、コピーモードのいずれであるかを判定する際に、ＣＰＵ１により参照される。
【００２３】
図３は、ご愛用スイッチキー登録部５０の構成の一例を示す図であり、ご愛用スイッチキーの番号５０Ａに応じて、各オプション機能５０Ｂを割付登録できるようにしている。
【００２４】
ご愛用スイッチキーが操作されたことをＣＰＵ１が検出すると、そのキー番号を判定の上、ご愛用スイッチキー登録部５０を参照して、キー番号に応じたオプション機能を判定する。そして、図２に示すオプション機能一覧より、操作されたご愛用スイッチキーに割付登録したオプション機能のモード属性が、ファクシミリモードか、コピーモードか、ファクシミリモード、コピーモードの共通であるかを判定する。
【００２５】
図４は、ご愛用スイッチキー５０を含む操作部８の構成の一例を示す図である。ご愛用スイッチキー５０は、本発明の特定キーを構成する。
【００２６】
図４において、表示部７と操作部８とは一体して操作パネルを構成している。表示部７には、ファクシミリモード、コピーモードにおいて実行する各機能の状態を示す表示がなされる。図示においては、コピーモードにおける初期画面を示している。
【００２７】
ご愛用スイッチキー８０Ａ〜８０Ｄは、操作部８の適所に設けられており、それぞれ、メモリ送信機能／リアルタイム送信機能の選択設定釦、発信元表示機能の選択設定釦、済スタンプ機能の選択設定釦、ソートコピー機能の選択設定釦としての特定キーとして機能する。
【００２８】
ご愛用スイッチキー８０Ａ〜８０Ｄの上部には、どのようなオプション機能が割付登録しているかを示すラベルＲ１〜Ｒ４を貼り付けている。ラベルＲ１〜Ｒ４により、ご愛用スイッチキー８０Ａ〜８０Ｄにはどのオプション機能が割付登録しているかを容易に知ることができる。
【００２９】
図５は、ご愛用スイッチキー５０へのオプション機能割付登録の動作について説明するためのフローチャートである（１００〜１０９）。
【００３０】
ファクシミリ装置Ｆにおいて、ユーザが所定の操作をして、ご愛用スイッチキー登録モードを実行させると、ご愛用スイッチキー登録部５０に基づいてご愛用スイッチキー一覧表示をして、現在どのようなオプション機能を割付登録しているかを知らせる（１００〜１０１）。
【００３１】
ユーザはその一覧を見て、オプション機能を割付登録したいスイッチキー８０Ａ〜８０Ｄを操作して選択する（１０２）。
【００３２】
ＣＰＵ１は、ご愛用スイッチキーの登録モード実行指示がされる前が、ファクシミリモードの初期画面、あるいは、コピーモードの初期画面だったかを判定し、それぞれのモード属性に応じて登録可能なオプション機能を、ＲＡＭ５より読み出して一覧表示する（１０３〜１０５）。
【００３３】
ユーザが、割付登録したいオプション機能を選択し、確定操作をすると、オプション機能の登録が完了される（１０６，１０７）。このモードは、ユーザがリセットキーを操作するまで継続され、リセットキーが操作されると、ご愛用スイッチキー登録モードを開始するまで実行されていたファクシミリモード、あるいはコピーモードの初期画面に戻る（１０８，１０９）。
【００３４】
このような構成のファクシミリ装置Ｆは、以下の特徴的な動作をなす。図６は、ファクシミリモード、コピーモードいずれかの実行中において、ご愛用スイッチキー８０Ａ〜８０Ｄが操作された際の動作の一例を示すフローチャートである（２００〜２０６）。
【００３５】
ご愛用スイッチキー８０Ａ〜８０Ｄが操作されたときには、ＣＰＵ１は、ご愛用スイッチキー登録部５０を参照して、操作されたご愛用スイッチキー８０Ａ〜８０Ｄに割付登録したオプション機能を判定する（２００，２０１）。
【００３６】
ついで、そのオプション機能のモード属性が、ファクシミリモード、コピーモードいずれに一致するかを、ＲＡＭ５を参照して判別し、その結果、現在実行中のモードと一致する場合には、割付登録したオプション機能を実行する一方、一致しない場合には、割付登録したオプション機能のモード属性と一致するモードに切り換え、その後、割付登録したオプション機能を実行するための操作画面を表示する（２０２〜２０６）。
【００３７】
例えば、ファクシミリモード実行中に、「メモリ送信機能とリアルタイム送信機能とを選択的に実行する機能」を割付登録したご愛用スイッチキー８０Ａ〜８０Ｄを操作すれば、割付登録したオプション機能のモード属性は、実行中のモード「ファクシミリモード」と一致するので、ファクシミリモードを実行したまま、メモリ送信機能とリアルタイム送信機能の選択設定のための操作画面を表示する。
【００３８】
一方、コピーモード実行中に、「メモリ送信機能とリアルタイム送信機能とを選択的に実行する機能」を割付登録したご愛用スイッチキー８０Ａ〜８０Ｄを操作すれば、割付登録したオプション機能のモード属性は、実行中のモード「コピーモード」と一致しないので、コピーモードからファクシミリモードに切り換えた上で、メモリ送信機能とリアルタイム送信機能の選択設定のための操作画面を呼出表示する。
【００３９】
図７は、オプション機能の実行のための操作画面の一例を示す図であり、図７（ａ）は単一のオプション機能の有効、無効を切換設定するための操作画面の一例を示し、図７（ｂ）は複数のオプション機能のうちから任意の実行機能を選択設定するための操作画面の一例を示している。
【００４０】
図７（ａ）は、操作画面の一例として、済スタンプ機能の有効、無効を切換設定するための操作画面を示しており、「はい」を選択すれば済スタンプ機能が有効に設定される一方、「いいえ」を選択すれば済スタンプ機能が無効に設定される。なお、操作画面を表示せずに、特定キー８０Ａ〜８０Ｄの操作によって、オプション機能の有効、無効が交互に切り替わるようにしてもよい。
【００４１】
図７（ｂ）は、操作画面の一例として、メモリ送信機能とリアルタイム送信機能のうちから任意の実行機能を選択設定するための操作画面を示しており、「メモリ送信」を選択すればメモリ送信機能が選択設定される一方、「リアルタイム送信」を選択すればリアルタイム送信機能が選択設定される。
【００４２】
なお、操作画面を表示せずに、特定キー８０Ａ〜８０Ｄの操作によって、複数のオプション機能を交互に切り替えできるようにしてもよい。
【図面の簡単な説明】
【００４３】
【図１】本発明の原稿画像読取装置の要部構成の一例を示す図
【図２】ご愛用スイッチキーに割付登録できるオプション機能一覧を示す図
【図３】ご愛用スイッチキー登録部の構成の一例を示す図
【図４】表示部、操作部の構成の一例を示す図
【図５】ご愛用スイッチキー登録モードの動作の一例を示すフローチャート
【図６】原稿画像読取装置の基本動作の一例を示すフローチャート
【図７】オプション機能を実行するための操作画面の一例を示す図であり、図７（ａ）は単一のオプション機能の有効、無効を切換設定するための操作画面の一例を示し、図７（ｂ）は複数のオプション機能のうちから任意の実行機能を選択設定するための操作画面の一例を示す
【符号の説明】
【００４４】
１  ＣＰＵ
５  ＲＡＭ
５０  ご愛用スイッチキー登録部
８０Ａ〜８０Ｄ  ご愛用スイッチキー
【図１】
2007194902.tif 000003
【図２】
2007194902.tif 000004
【図３】
2007194902.tif 000005
【図４】
2007194902.tif 000006
【図５】
2007194902.tif 000007
【図６】
2007194902.tif 000008
【図７】
2007194902.tif 000009